(57)【要約】  【課題】商品取出口のフラップに外力が加わっても脱落、破損しない自動販売機を提供するものである。  【解決手段】取出口枠体１２１に備えられた保持片１２３、１２３’間にリブ１２７を成形し、リブ１２７にフラップ１２４の軸を接触させることにより外力によるフラップ１２４の軸１２８のたわみをなくすことができる。この結果、フラップ１２４の軸保持部１２５、１２５’に対する外力が減少し、たわみによる軸の抜け防止や軸保持部１２５，１２５’の破損防止ができる。【選択図】図１
2009271702.tif 000002
【特許請求の範囲】
【請求項１】
自動販売機本体内に商品収納庫を有し、前記商品収納庫の前面開口部を覆い前記商品収納庫から払出される商品を通過させる商品取出口を有する内扉を備えた自動販売機において、前記商品取出口は樹脂製の枠体と前記枠体に回転自在に軸支されるフラップで構成され、前記枠体は前記フラップの軸部を両端で保持する保持片を備え、前記フラップに前記商品取出口を通じて外力が加わった時、前記保持片の間に前記フラップがたわんで落下しないようにリブを前記枠体に成形したことを特徴とする自動販売機。
【請求項２】
軸部は内部が空気層を有する中空状に成形されたことを特徴とする請求項１に記載の自動販売機。
【請求項３】
リブは保持片よりも前後方向で相対的にフラップの軸部に近接して配置したことを特徴とする請求項１または２に記載の自動販売機。
【請求項４】
リブは枠体の開口部上面を前方から後方に向かって下方向に傾斜構造で配置され、フラップが開動作した時に前記フラップがリブと干渉するのを防止したことを特徴とする請求項１から３のいずれか一項に記載の自動販売機。
【発明の詳細な説明】
【技術分野】
【０００１】
本発明は自動販売機の商品が出てくる取出口に取付けるフラップの取付け構造に関するものである。
【背景技術】
【０００２】
従来、この種の自動販売機の庫内前面に配した断熱扉の商品取出口で、枠体とフラップの取付け構造において部品交換時に工具等を必要としない特許文献１のものがある。
【０００３】
図８は特許文献１に記載された従来の自動販売機を示すものである。図５は従来の自動販売機の商品取出口の正面図である。図６は図５のＡ−Ａ線における断面図である。図７は図５のＢ−Ｂ線における断面図である。
【０００４】
図８に示すように、自動販売機の本体１には、ヒンジ２、２’により扉３を前面に取り付けている。また、本体１と扉３との間には補助扉４がヒンジ５、ヒンジ５’にて取り付けられている。この補助扉４は金属板７にて囲まれた内部に断熱材６を充填している。そして、この補助扉４の下部には商品取出口を形成する方形状にした枠体８が取付けられている。
【０００５】
以上のように構成された自動販売機の商品取出口について、以下その動作を説明する。
【０００６】
枠体８は合成樹脂より方形状に形成された枠体で上部側面に深さａの凹部２２を有する。又、枠体２１の上部に中空状の一対の保持片２３、２３’を一体に形成している。また、２４は合成樹脂から方形状に形成してなるフラップで、上端に一対の長さの異なる軸２５、２５’を一体に形成している。この軸２５、２５’とフラップ２４との間には切り込み２６、２６’を形成しており、長い軸２５側においては、保持片２３の長さｌよりもｂ寸法深く形成している。また反対側の軸２５’は保持片２３’の長さｌよりも短いｃ寸法にしている。そしてフラップ２４と枠対２１との側面の隙間をｄとして、ａ＞ｂ＞ｃ＞ｄといった関係を満足させるものである。凹部２２には弾性力を有する突出片２７が２５、２５’に対向して設けられ、フラップ２４との隙をｅとするとｄ≦ｅ＜ｂの関係を有している。
【特許文献１】特開平５−３５９６６号公報
【発明の開示】
【発明が解決しようとする課題】
【０００７】
しかしながら、上記従来の構成ではフラップ２４を保持している部分は軸２５、２５’であり、それぞれ保持片２３、２３’に挿入されているだけであって自動販売機の外側から外力がフラップに加わると軸にたわみが発生し保持片２３、２３’から抜けてしまう、または軸２５、２５’が外力により破損してしまうという課題を有していた。
【０００８】
本発明は、上記従来の発明を解決するもので、自動販売機の外側から外力が加わってもフラップが脱落、破損しないことを目的とするものである。
【課題を解決するための手段】
【０００９】
上記従来の課題を解決するために、本発明の自動販売機は、取出口枠体に備えられた保持片間にリブを成形し、前記リブにフラップの軸を接触させることにより外力によるフラップの軸のたわみをなくすことができる。この結果、フラップの軸保持部に対する外力が減少し、たわみによる軸の抜け防止や軸保持部の破損防止ができる。
【発明の効果】
【００１０】
本発明の自動販売機は、軸保持部にかかる外力が減少されるので、たわみによる軸の抜け防止や軸保持部の破損防止ができる。
【発明を実施するための最良の形態】
【００１１】
請求項１に記載の発明は、自動販売機本体内に商品収納庫を有し、前記商品収納庫の前面開口部を覆い前記商品収納庫から払出される商品を通過させる商品取出口を有する内扉を備えた自動販売機において、前記商品取出口は樹脂製の枠体と前記枠体に回転自在に軸支されるフラップで構成され、前記枠体は前記フラップの軸部を両端で保持する保持片を備え、前記フラップに前記商品取出口を通じて外力が加わった時、前記保持片の間に前記フラップがたわんで落下しないようにリブを前記枠体に成形したことにより、軸のたわみが減少し軸の抜け防止ができる。または軸に与える外力による軸保持部の破損防止ができる。
【００１２】
請求項２に記載の発明は、請求項１に記載の発明にさらに、軸部は内部が空気層を有する中空状に成形されたことにより、取出口の断熱効果をあげることで自動販売機の消費電力を削減することができ、かつ軸の抜け防止、軸保持部の破損防止ができる。
【００１３】
請求項３に記載の発明は、請求項１または２に記載の発明にさらに、リブが保持片よりも前後方向で相対的にフラップの軸部に近接して配置することにより、フラップの回転時に軸の保持部が保持片に接触する前にリブと接触し、軸の保持部への負荷を抑えることが出来る。
【００１４】
請求項４に記載の発明は、請求項１から３のいずれか一項に記載の発明にさらに、リブは枠体の開口部上面を前方から後方に向かって下方向に傾斜構造で配置され、フラップが開動作した時に前記フラップがリブと干渉するのを防止したことで、開角度を大きくでき、様々な商品を搬出することができる。
【００１５】
以下、本発明の実施の形態について、図面を参照しながら説明する。なお、この実施の形態によってこの発明が限定されるものではない。
【００１６】
（実施の形態１）
図１は、本発明の実施の形態１における自動販売機の商品取出口の正面図である。図２は同実施の形態における図１のＤ−Ｄ線における断面図である。図３は同実施の形態における図１のＥ−Ｅ線における断面図である。図４は同実施の形態における図１のＤ−Ｄ線におけるフラップが開く状態を示した断面図である。
【００１７】
図１において、枠体１２１の上部に中空状の一対の保持片１２３、１２３’を一体に形成している。また、１２４は合成樹脂から方形状に形成してなるフラップで、上端に一対の長さの異なる軸１２５、１２５’を一体に形成している。この軸１２５、１２５’とフラップ１２４との間には切り込み１２６、１２６’を形成している。そして枠体１２１の保持片１２３、１２３’間にリブ１２７が一体に形成されており、フラップ１２４の軸１２５、１２５’間の軸１２８前方に位置している。
【００１８】
以上のように構成された自動販売機の商品取出口について、以下その動作を説明する。
【００１９】
まず、図２において、自動販売機の外側から商品取出口内に手を入れて商品を盗もうとしてフラップ１２４に外力Ｐが矢印方向に加わると軸１２８も同じ方向に移動する。その後軸１２８はリブ１２７に接触することにより軸１２８の移動距離が制御される。
【００２０】
これは図１における軸１２５、１２５’が保持片１２３、１２３’で保持された状態で外力Ｐが加わったときに発生する軸１２８のたわみを制御することを意味している。
【００２１】
以上のように、本実施の形態においては、保持片１２３、１２３’間にリブ１２７を形成することにより、フラップ１２４の軸１２８がリブ１２７に接触することで軸１２８のたわみを抑えることとなり、軸の抜け防止および軸の破損防止を図ることができる。
【００２２】
また、本実施の形態では保持片１２３、１２３’間のリブ１２７を複数形成することにより、軸１２８のたわみをより抑えることが可能となる。
【００２３】
また、本実施の形態では図２の軸１２８とリブ１２７との隙間寸法ｆと図３の軸１２８と保持片１２３との隙間寸法ｇにおいてｆ＜ｇとすることにより、フラップ１２４に外力Ｐが加わったときに軸１２５、１２５’が保持片１２３、１２３’に接触するよりも先に軸１２８がリブ１２７に接触することとなり、応力集中によって破損の起こりやすい軸１２５、１２５’には外力Ｐが加わらないようにすることができる。
【００２４】
以上のように、本実施の形態においては、リブ１２７を保持片１２３、１２３’よりも前後方向で相対的にフラップ１２４の軸１２５、１２５’、１２８に近接して配置することにより、軸１２５、１２５’が保持片１２３、１２３’に接触するよりも先に軸１２８がリブ１２７に接触することとなり、軸がたわんで折れ曲がり軸１２５、１２５’の破損防止を図ることができる。
【００２５】
また、本実施の形態では図４においてフラップ１２９が軸１２８を中心として矢印方向に回動するとフラップ１２９’に移動する。この時、リブ１２７と移動後のフラップ１２９’の接触面となるリブ斜面の角度θをθ＜９０度とすることにより、フラップ１２９’の回動範囲が大きくなることで商品通路寸法が広がり、様々な大きさの商品を搬出することができる。
【産業上の利用可能性】
【００２６】
以上のように本発明にかかる自動販売機は、軸部分のたわみを防止でき、軸保持部分の負荷が減少されるので、軸の破損防止、軸保持部からの抜け防止ができるので、自動販売機の商品取出口だけに限らず、券売機などの釣銭返却扉に適用できる。
【図面の簡単な説明】
【００２７】
【図１】本発明の実施の形態１における自動販売機の商品取出口の正面図
【図２】同実施の形態の図１のＤ−Ｄ線の断面図
【図３】同実施の形態の図１のＥ−Ｅ線の断面図
【図４】同実施の形態の図１のＤ−Ｄ線の断面図
【図５】従来の自動販売機の商品取出口の正面図
【図６】従来の自動販売機の図５のＡ−Ａ線における断面図
【図７】従来の自動販売機の図５のＢ−Ｂ線における断面図
【図８】この発明の実施対象となる自動販売機の扉開放状態の外観図
【符号の説明】
【００２８】
１２１  枠体
１２３，１２３’  保持片
１２４  フラップ
１２７  リブ
【図４】
2009271702.tif 000003
【図５】
2009271702.tif 000004
【図６】
2009271702.tif 000005
【図７】
2009271702.tif 000006
【図８】
2009271702.tif 000007
【図１】
2009271702.tif 000008
【図２】
2009271702.tif 000009
【図３】
2009271702.tif 000010